(57)【要約】【課題】太陽光が強い時間帯や季節がずれても、日除け性能が低下しにくい日除け構造を提供する。【解決手段】複数の遮光面と複数の隙間が三次元的に配置され、所定の遮光角度から観察した場合に上記の各隙間が背後に配置された各遮光面によってほぼ塞がれた状態にみえる構造を備えた複数の日除け部材を、一定の方向に揃えて配置した日除けブロックを複数備えた日除けであって、日除け部材が、楕円形の板材を湾曲させた湾曲円状部材50を複数用い、各湾曲円状部材50をそれぞれの湾曲方向が揃うように配置すると共に、相互の端部同士を連結することによって形成された基本構成ブロック52よりなることを特徴とする日除け80。【選択図】図１
2019218815.tif 000002
【特許請求の範囲】
【請求項１】
複数の遮光面と複数の隙間が三次元的に配置され、所定の遮光角度から観察した場合に上記の各隙間が背後に配置された各遮光面によってほぼ塞がれた状態にみえる構造を備えた複数の日除け部材を、一定の方向に揃えて配置した日除けブロックを複数備えた日除けであって、
上記日除け部材が、円形または楕円形の板材を湾曲させた湾曲円状部材を複数用い、各湾曲円状部材をそれぞれの湾曲方向が揃うように配置すると共に、相互の端部同士を連結することによって形成されていることを特徴とする日除け。
【請求項２】
上記日除けブロックを、それぞれの湾曲凹面を一定の方向に揃えて枠材に複数組み付けてなる複数の日除けユニットと、
各日除けユニットを地面から所定の高さに支持する支持構造体とを備えたことを特徴とする請求項１に記載の日除け。
【請求項３】
上記日除けブロックを、それぞれの湾曲凹面を一定の方向に揃えて枠材に複数組み付けてなる複数の正置ユニットと、
上記日除けブロックを裏返した状態で枠材に複数組み付けてなる複数の倒置ユニットと、
各正置ユニット及び倒置ユニットを地面から所定の高さに支持する支持構造体とを備え、
上記正置ユニット及び倒置ユニットは、上記支持構造体上において互い違いに配置されていることを特徴とする請求項１に記載の日除け。
【請求項４】
上記枠材と支持構造体との間に、各日除けブロックを地面に対して所定の傾斜角度で載置固定するための傾斜手段が設けられていることを特徴とする請求項２または３に記載の日除け。
【発明の詳細な説明】
【技術分野】
【０００１】
この発明は日除けに係り、特に、複数の遮光面と隙間が三次元的に配置された構造の日除け部材を複数組み合わせた日除けに関する。
【背景技術】
【０００２】
都市部において深刻化しつつあるヒートアイランド現象を解消し、また消費電力の低減にも資するものとして、所謂フラクタル構造を備えた日除け部材を多数組み合わせることによって形成される日除けが、既に提案されている。
【特許文献１】特許第５０６６２１５号
【特許文献２】特許第５３１５５１４号
【特許文献３】特許第５７６３９７７号
【非特許文献１】Sierpinski's forest: New technology of cool roof with fractal shapes  インターネットURL：https://www.sciencedirect.com/science/article/pii/S0378778811006529  検索日：２０１８年６月８日
【０００３】
ここで「フラクタル構造」とは、複数のクラスターを有する構造であって、クラスターが階層構造をなし、各階層に属するクラスターの形状が互いに相似するものをいう。このような自己相似立体図形の一つとして、シェルピンスキー四面体が知られている。
このようなフラクタル構造を体現した日除け部材は、それ自体が極めて複雑な形状を備えているため、特許文献２の記述に基づき、以下に詳説する。
【０００４】
まず、図１９に示すように、日除け部材１は、４つの基本要素２，３，４，５からなるフラクタル構造とされ、各基本要素２，３，４，５自体も、同じ形の三角形が対称状に一体化された二面体11，12，13，14を単位とするフラクタル構造をなしている。
【０００５】
各基本要素２，３，４，５は、平面から見て四角形となる４つの二面体11，12，13，14が左右、前後及び上下に隣り合うように配置されたもので、基準位置にある第１の二面体11と、第１の二面体11の右方に配置された第２の二面体12と、第１の二面体11の後方に配置された第３の二面体13と、第１から第３までの二面体11，12，13の上方に配置された第４の二面体14とからなる。
【０００６】
日除け部材１は、４つの基本要素２，３，４，５が左右、前後及び上下に隣り合うように配置されたもので、基準位置にある第１の基本要素２と、第１の基本要素２の右方に配置された第２の基本要素３と、第１の基本要素２の後方に配置された第３の基本要素４と、第１から第３までの基本要素２，３，４の上方に配置された第４の基本要素５とからなる。
【０００７】
図２０に拡大して示すように、基本要素２（他の基本要素３，４，５でも同じ）を構成する４つの二面体11，12，13，14は同一形状とされており、各二面体11，12，13，14は、前面を形成する小三角形板部11a，12a，13a，14aと、側面を形成する小三角形板部11b，12b，13b，14bとからなる。
【０００８】
第１の二面体11は、水平面上に位置して正方形の二辺を形成する左右方向及び前後方向の下辺21，22と、下辺21，22同士の交差部から斜め上方にのびて稜線Ｒを形成する共通辺23と、共通辺23の上端部と各下辺21，22の端部とをつなぐ手前側及び奥側の上辺24，25とからなる。
【０００９】
第２の二面体12は、第１の二面体11の左右方向の下辺21が左右方向に延長された左右方向の下辺21と、第１の二面体11の前後方向の下辺22に平行な前後方向の下辺22と、第１の二面体11の共通辺23に平行な共通辺23と、第１の二面体11の手前側及び奥側の上辺24，25にそれぞれ平行な手前側及び奥側の上辺24，25とからなる。
【００１０】
第３の二面体13は、第１の二面体11の前後方向の下辺22が前後方向に延長された前後方向の下辺22と、第１の二面体11の左右方向の下辺21に平行な左右方向の下辺21と、第１の二面体11の共通辺23に平行な共通辺23と、第１の二面体11の手前側及び奥側の上辺24，25にそれぞれ平行な手前側及び奥側の上辺24，25とからなる。
【００１１】
第４の二面体14は、第１の二面体11の共通辺23が斜め上方に延長された共通辺23と、第２の二面体12の手前側の上辺24が斜め上方に延長された手前側の上辺24と、第３の二面体13の奥側の上辺25が斜め上方に延長された奥側の上辺25と、第１の二面体11の左右方向の下辺21に平行な左右方向の下辺21と、第１の二面体11の前後方向の下辺22に平行な前後方向の下辺22とからなる。
【００１２】
図２０において、第１、第２及び第４の各二面体11，12，14の前面を形成する小三角形板部11a，12a，14aは、同一平面（前面）上にあり、この前面に対して、第２の二面体12の側面を形成する小三角形板部12bが底面側に屈曲させられていることで、基本要素２の前面には、三角形状の小三角形透孔15が形成されている。
また、第１、第３及び第４の各二面体11，13，14の側面を形成する小三角形板部11b，13b，14bは、同一平面（側面）上にあり、この側面に対して、第３の二面体13の前面を形成する小三角形板部13aが底面側に屈曲させられていることで、基本要素２の側面には、三角形状の小三角形透孔15が形成されている。
こうして、基本要素２は、中央部に小三角形透孔15を有する２つの中三角形板部2a，2bが稜線Ｒを介して接合された二面体本体部分と、中三角形板部2a，2bに対して底面側に折り曲げられた小三角形板部（突出部分）12b，13aとからなる二面体形状となっている。
【００１３】
４つの基本要素２，３，４，５からなる日除け部材１において、第１、第２及び第４の各基本要素２，３，５の前面を形成する中三角形板部２a，３a，５aは、同一平面（前面）上にあり、この前面に対して、第２の基本要素３の側面を形成する中三角形板部３bが底面側に屈曲させられていることで、前面の大三角形部１aには、三角形状の中三角形透孔６が形成されている。
また、第１、第３及び第４の各基本要素２，４，５の側面を形成する中三角形板部２b，４b，５bは、同一平面（側面）上にあり、この側面に対して、第３の基本要素４の前面を形成する中三角形板部４aが底面側に屈曲させられていることで、側面の大三角形部１bには、三角形状の中三角形透孔６が形成されている。
この結果、日除け部材成形品１は、中央部に中三角形透孔６を有する２つの大三角形板部１a，１bが稜線Ｒを介して接合された二面体本体部分と、大三角形板部１a，１bに対して底面側に折り曲げられた中三角形板部（突出部分）３b，４aとからなる二面体形状となっている。
【００１４】
したがって、日除け部材１を基本要素とみなして、これを４つ使用して上記の基本要素２，３，４，５と同じように左右、前後及び上下に配置することで、図２１に示す日除け部材１の組立品である日除けブロックが得られ、使用する日除けブロックの数を適宜増やしていくことで必要な大きさの日除けを得ることができる。
【００１５】
この日除け部材１を用いて日除けを形成するに際しては、４つの日除け部材１を連結させた日除けブロックを多数用意した上で、予め各日除けブロックを矩形状のフレーム部材に組み付けることにより、日除けユニットが形成される。
また、複数の脚部によって支持された基礎フレーム上に複数の日除けユニットを載置固定することにより、日除けが形成される。
【００１６】
上記日除けブロックに含まれる各日除け部材１の稜線Ｒを南側に向けることにより、太陽光線が日除け部材１によって遮断されるため、日除け効果を発揮することが可能となる。
また、各日除け部材１には三角形状の透孔部が多数形成されており、遮光面が３次元空間に分散配置された形となっているため、遮光面間に設けられた隙間を介して熱を素早く空気中に逃がすことが可能となる。
【発明の開示】
【発明が解決しようとする課題】
【００１７】
しかしながら、上記先行技術は、シェルピンスキー四面体を遮光面とし、特定の方向から見て透孔部を遮断するように構成されているが、特定の方向からずれた場合、すなわち、正午の太陽光を最大限に遮断しようとした場合の１１時や１３時など正午を外れた時間帯には透孔部から漏れた日光が増加し、日除け性能が低下する。
また、太陽光が厳しい７月末や８月初旬に遮光性能を最大にしようとすれば、７月中旬以前の期間や、８月中旬以降の期間には透孔部から漏れた光が増加し、日除け性能が低下する。
【００１８】
この本発明は、上記課題を解決するため、太陽光が強い時間帯や季節がずれても、日除け性能が低下しにくい日除け構造を提供することを目的とする。
【課題を解決するための手段】
【００１９】
上記の目的を達成するため、請求項１に記載した日除けは、複数の遮光面と複数の隙間が三次元的に配置され、所定の遮光角度から観察した場合に上記の各隙間が背後に配置された各遮光面によってほぼ塞がれた状態にみえる構造を備えた複数の日除け部材を、一定の方向に揃えて配置した日除けブロックを複数備えた日除けであって、上記日除け部材が、円形または楕円形の板材を湾曲させた湾曲円状部材を複数用い、各湾曲円状部材をそれぞれの湾曲方向が揃うように配置すると共に、相互の端部同士を連結することによって形成されていることを特徴としている。
【００２０】
また請求項２に記載した日除けは、請求項１の日除けであって、さらに、上記日除けブロックを、それぞれの湾曲凹面を一定の方向に揃えて枠材に複数組み付けてなる複数の日除けユニットと、各日除けユニットを地面から所定の高さに支持する支持構造体とを備えたことを特徴としている。
【００２１】
また請求項３に記載した日除けは、請求項１の日除けであって、さらに、上記日除けブロックを、それぞれの湾曲凹面を一定の方向に揃えて枠材に複数組み付けてなる複数の正置ユニットと、上記日除けブロックを裏返した状態で枠材に複数組み付けてなる複数の倒置ユニットと、各正置ユニット及び倒置ユニットを地面から所定の高さに支持する支持構造体とを備え、上記正置ユニット及び倒置ユニットは、上記支持構造体上において互い違いに配置されていることを特徴としている。
【００２２】
請求項４に記載した日除けは、請求項２または３の日除けであって、さらに、上記枠材と支持構造体との間に、各日除けブロックを地面に対して所定の傾斜角度で載置固定するための傾斜手段が設けられていることを特徴としている。
この傾斜手段としては、例えば、上記支持構造体の上部に配置された基板と、上記日除け部材のユニットが載置固定される可動板と、この可動板を上記基板の一端に回動自在に固定するヒンジと、上記基板と可動板との間に介装されるスペーサとからなり、上記スペーサの高さを変更することにより、上記可動板及び上記日除け部材のユニットの傾斜角度を任意に調整可能となしたものが該当する。
【発明の効果】
【００２３】
この発明に係る日除けにあっては、遮光面を形成する湾曲円状部材が文字通り曲線で囲まれた円形または楕円形を備えており、上下に配置された湾曲円状部材の端部間で膨らみ部分が重複する構造を備えている。
このため、直線で囲まれた従来の日除け部材の遮光面に比べて、時刻や季節のズレに対する遮光性能の低下を有効に緩和することが可能となる。
【発明を実施するための最良の形態】
【００２４】
この発明に係る日除けは、図１〜図３に示すように、楕円形の板材を短軸（短径）を中心に湾曲させた湾曲円状部材50を、複数組み合わせることによって構成される。各湾曲円状部材50の凸面51は、同一の方向を向くように揃えられている。
【００２５】
図１に示すように、一対の湾曲円状部材50の長軸端部同士を接合した（Ａ）の上に、一対の湾曲円状部材50の短軸端部同士を接合した（Ｂ）を配置し、上に配置された各湾曲円状部材50の長軸両端部を、下に配置された各湾曲円状部材50の短軸両端部付近に接合したもの、すなわち４枚の湾曲円状部材50を立体的に結合させたものが、基本構成ブロック52となる。
【００２６】
この基本構成ブロック52が、日除けを構成するための最小単位である「日除け部材」となる。
なお、図２においては、下側に配置された一対の湾曲円状部材50に梨地模様を便宜的に施すことにより、上側に配置された湾曲円状部材50との差別化を図っている。また、図中の黒点は接合箇所を示している。
【００２７】
各基本構成ブロック52に含まれる湾曲円状部材50の凸面51または凹面56が、日除けの遮光面として機能することとなる。
図２に示すように、上側に配置された一対の湾曲円状部材50間には隙間αが生じているが、平面から観察した際には下側に配置された湾曲円状部材50の凸面51によって隙間αが遮蔽される形となる。
また、図３に示すように、上側に配置された湾曲円状部材50と下側に配置された湾曲円状部材50との間には、湾曲に由来する隙間βが存在している。
【００２８】
湾曲円状部材50の材質については特に限定はなく、合成樹脂やアルミニウム等の金属、木材等より形成される。
楕円形の湾曲円状部材50の代わりに、円形の板材を用い、その直径を中心に湾曲させて湾曲円状部材となすこともできる。
【００２９】
各湾曲円状部材50の接合方法についても特に限定はなく、材質に応じて接着や溶接等を選択できる。
また、合成樹脂製の場合、射出成形によって最初から各湾曲円状部材50が連結された状態の基本構成ブロック52を形成することもできる。
【００３０】
遮光面を楕円形状にする場合は、長軸：短軸＝２：１から１：１（円）の範囲が好ましく、３：２がより好ましい。
太陽は東から西へ移動するので、長軸を東西方向にして設置すると地面の遮光面積が大きくなる。
長軸が大きすぎると遮光面同士の南北方向の重なりが少なくなり、季節が変わり太陽高度が変わったときに直射日光が入りやすくなる。
【００３１】
遮光面の湾曲形状は、長軸方向の直線長さと、中央部の高さの比が２：１〜４：１が好適で３：１がより好ましい。
２：１より小さいと平面に近くなり、空気の対流が起こりにくいので温度が上昇してしまう。４：１より大きいと季節が真夏より外れて太陽高度が変わったときに、直射日光が入射しやすくなる。
【００３２】
この基本構成ブロック52を一定のルールに従って組み合わせることにより、フラクタル（自己相似形）構造を備えた大規模な日除けブロックが形成される。
まず、図４(a)に示すように、４個の基本構成ブロック52を組み合わせることにより、図４(b)に示すように、１６枚の湾曲円状部材50を備えた中規模ブロック53が形成される。
【００３３】
具体的には、一対の基本構成ブロック52の下側に配置された湾曲円状部材50の長軸端部同士を接合した（Ｃ）の上に、他の一対の湾曲円状部材50の上側に配置された短軸端部同士を接合した（Ｄ）を配置し、上に配置された各湾曲円状部材50の長軸両端部を、下に配置された各湾曲円状部材50の短軸両端部付近に接合したものが中規模ブロック53となる。
【００３４】
また、図５(a)に示すように、４個の中規模ブロック53を組み合わせることにより、図５(b)に示すように、６４枚の湾曲円状板部材を備えた大規模ブロック54が形成される。
【００３５】
具体的には、一対の中規模ブロック53の最下段に配置された湾曲円状部材50の長軸端部同士を接合した（Ｅ）の上に、他の一対の中規模ブロック53の最上段に配置された湾曲円状部材50の短軸端部同士を接合した（Ｆ）を配置する。
つぎに、上側の各中規模ブロック53の最下段に配置された湾曲円状部材50の長軸両端部を、下側の各中規模ブロック53の最上段に配置された湾曲円状部材50の短軸両端部付近に接合することにより、大規模ブロック54が完成する。
【００３６】
この大規模ブロック54の最下段の両端に配置された各湾曲円状部材50の長軸端部には、穴付き突起55が設けられる。
同じく、大規模ブロック54の最上段の両端に配置された各湾曲円状部材50の短軸端部にも、穴付き突起55が設けられる。
これらの穴付き突起55は、大規模ブロック54の形成後に取り付けることもできるが、予め穴付き突起55が長軸端部あるいは短軸端部に形成された湾曲円状部材50を用いることもできる。
【００３７】
図６〜図８は、この大規模ブロック54の３Ｄ画像である（ただし、図示の便宜上、穴付き突起55は省略されている）。
図６に示すように、平面から観察した場合、大規模ブロック54には隙間がほとんどなく、上側に配置された基本構成ブロック52間の隙間が下側に配置された基本構成ブロック52の遮光面（湾曲円状部材50の凸面51）によってほぼ完全に塞がれていることが理解できる。
【００３８】
これに対し、図７に示すように、視点を斜めにずらした場合、各湾曲円状部材50間あるいは基本構成ブロック52間に、多数の隙間57が存することが見て取れる。
さらに、図８に示すように、大規模ブロック54を真横方向から観察すると、各湾曲円状部材50間あるいは基本構成ブロック52間に大きな隙間57が多数存在し、十分な通気性が確保されていることがわかる。
【００３９】
この発明においては、大規模ブロック54を図６に示したのと同様の向きで用いる場合と、これを裏返した状態で用いる場合があるため、前者を正置ブロック60と称し、後者を倒置ブロック61と称することにより、以後、両者を区別することとする。
【００４０】
図９は、この倒置ブロック61を示す３Ｄ画像であり、各湾曲円状部材50の凹面56によって遮光面が形成されている。
倒置ブロック61の最上段には、長軸端部同士が連結された８枚の湾曲円状部材50が配置されている。また、その最下段には、短軸端部同士が連結された８枚の湾曲円状部材50が配置されている。
【００４１】
この大規模ブロック54を複数用い、それぞれを図６に示した正置ブロック60としてフレームに配置・固定することにより、日除け用の正置ユニットが形成される。
図１０及び図１１は、この正置ユニット70の形成過程の一例を示すものである。
【００４２】
まず、図１０に示すように、一対の縦桟71と一対の横桟72によって形成された四角形の枠内に、４本の縦リーフ桟73を相互に所定の間隔を空けて平行に配置固定した構造の第１のフレーム部材74を用意する。
【００４３】
この第１のフレーム部材74の各縦リーフ桟73に対して２個の正置ブロック60を載置した上で、それぞれの最下段の湾曲円状部材50の穴付き突起55にビスを挿通し、横桟72あるいは縦リーフ桟73に螺合させる。
【００４４】
この際、一方の正置ブロック60の穴付き突起55と、他方の正置ブロック60の穴付き突起55に対しては共通のビスが挿通され、縦リーフ桟73に螺合される。
以上の結果、図１１(a)に示すように、１段目を構成する計８個の正置ブロック60が第１のフレーム部材74に固定される。
【００４５】
つぎに、図１１(b)に示すように、隣接する一対の正置ブロック60上に２段目を構成する正置ブロック60を載置する。
この際、上側の正置ブロック60の最下段の湾曲円状部材50の穴付き突起55と、下側の正置ブロック60の最上段の湾曲円状部材50の穴付き突起55とを位置合わせし、それぞれの穴同士をビスとナットで固定する。
【００４６】
この作業を繰り返すことにより、図１１(c)に示すように、計１３個（１段目：８個、２段目：５個）の正置ブロック60を搭載した正置ユニット70が完成する。
この際、２段目を構成する各正置ブロック60に関しては、前に位置する正置ブロック60の最上段の穴付き突起55と、後ろに位置する正置ブロック60の最上段の穴付き突起55とが、ビス及びナットを介して相互に連結される。
【００４７】
図１２は、第２のフレーム部材75を示すものであり、一対の縦桟71と一対の横桟72によって形成された四角形の枠内に、２本の横リーフ桟76を相互に所定の間隔を空けて平行に配置固定した構成を備えている。
【００４８】
この第２のフレーム部材75の各横リーフ桟76に対しては、倒置ブロック61を載置し、それぞれの最下段の穴付き突起55にビスを挿通し、横リーフ桟76あるいは縦桟71に螺合させることにより、固定していく。
【００４９】
この際、一方の倒置ブロック61の最上段の穴付き突起55と、隣接する他方の倒置ブロック61の最上段の穴付き突起55とが、ビス及びナットで連結される。
以上の結果、図１３(a)に示すように、１段目を構成する計８個の倒置ブロック61が第２のフレーム部材75に固定される。
【００５０】
つぎに、図１３(b)に示すように、１段目の倒置ブロック61上に、２段目を構成する倒置ブロック61を載置する。
この際、上側の倒置ブロック61の最下段の湾曲円状部材50の穴付き突起55と、下側の倒置ブロック61の最上段の湾曲円状部材50の穴付き突起55とを位置合わせし、それぞれの穴にビスを挿通し、ナットで固定する。
また、２段目を構成する各倒置ブロック61の最上段の穴付き突起55は、横に位置する他の倒置ブロック61の最上段の穴付き突起55と、ビス及びナットを介して相互に連結される。
【００５１】
この作業を繰り返すことにより、図１３(c)に示すように、計１７個（１段目：８個、２段目：９個）の倒置ブロック61を搭載した倒置ユニット77が完成する。
【００５２】
正置ユニット70及び倒置ユニット77は、予め工場において必要個数製造された上で、設置現場にトラック輸送され、日除けとして組み立てられる。
図１４は、完成した日除け80を例示するものであり、設置面81に対し垂直に立設された複数の脚部82上に基礎フレーム83が載置され、その上に正置ユニット70及び倒置ユニット77が固定されている様子が描かれている。
正置ユニット70及び倒置ユニット77は、フォークリフトやユニック車によって基礎フレーム83上に持ち上げられ、図示しない連結具によって固定される。
【００５３】
図１５は、上記日除け80の平面図であり、正置ユニット70と倒置ユニット77とが、前後左右方向において互い違いに配置されている様子が描かれている。
このように、複数の正置ブロック60を備えた正置ユニット70と、複数の倒置ブロック61を備えた倒置ユニット77を、所謂市松模様状に配置することにより、一方のユニットから張り出したブロックが他方のユニットにおける空きスペースに嵌合する形となり、隙間の少ない遮光面を効率的に形成することが可能となる。
【００５４】
ただし、この発明はこのような構成に拘泥するものではなく、正置ユニット70あるいは倒置ユニット77の何れか一方の日除けユニットのみを多数用いることにより、日除けを構成することを排除するものではない。
また、このように日除けユニットを用いて日除けを構成する場合、遮光面の所々に隙間が生じることがあるが、その場合には日除けブロックを追加的に取り付けることにより、隙間を個別に埋めてゆけばよい。
【００５５】
また、各日除けユニットの構成も上記に限定されるものではなく、縦リーフ桟73や横リーフ桟76の本数、相互の間隔、あるいは取り付ける日除けブロックの数や取付方法、段数については様々なバリエーションが考えられる。
【００５６】
上記のように、各日除けブロックに含まれる各湾曲円状部材50の長軸を東西方向に向けることにより、太陽光線が湾曲円状部材50の凸面51または凹面56によって遮蔽されるため、日除け効果を発揮することが可能となる。ただし、設置の方向はこれに限定されるものではない。
【００５７】
しかも、日除けブロックを構成する各湾曲円状部材50間あるいは基本構成ブロック52間には多数の隙間57が形成されており、遮光面が３次元空間に分散配置された形となっているため、また各湾曲円状部材50の湾曲面によって空気の対流が生じるため、上記隙間57を介して熱を素早く空気中に逃がすことが可能となる。
【００５８】
さらに、遮光面を形成する湾曲円状部材50が文字通り曲線で囲まれた「楕円形」を基調としており、上下に配置された湾曲円状部材50の端部間で膨らみ部分が重複する構造を備えている（図２参照）。
このため、直線で囲まれた従来の日除け部材の遮光面に比べて、時刻や季節のズレに対する遮光性能の低下を緩和することができる。
【００５９】
図１６は、４面体を対角線で折り曲げた構造を備えた従来の日除けブロックによる太陽光の遮光性能を確認するために、７月上旬、中旬、下旬の各南中時刻に、地面に映った影を撮影したものである。
【００６０】
この従来の日除けブロックは、７月初旬の太陽光を最大限遮光できる角度に設置されているため、１６図(a)に示すように、７月初旬においてはほぼ全域が影となっており、太陽光の漏れがほとんど生じていない。
これに対し、１６図(b)に示すように、７月中旬になると影の面積が減少し、その分、木洩れ日領域γの面積が拡大していることが見て取れる。
これが７月下旬ともなると、１７図(c)に示すように、木洩れ日領域γの面積がさらに拡大し、遮光領域が後退していることがわかる。
【００６１】
一方、図１７は、湾曲円状部材50を用いて形成した日除けブロックによる太陽光の遮光性能を示すものであり、上記と同じく、７月上旬、中旬、下旬の各南中時刻に、地面に映った影を撮影したものである。
【００６２】
この場合も、日除けブロックは７月初旬の太陽光を最大限遮光できる角度に設置されているにも関わらず、図１７(b)及び(c)に示すように、７月中旬及び下旬になっても木洩れ日領域γがほとんど生じることなく、高い遮光性能を維持していることが確認できる。
因みに、この実験においては以下の湾曲円状部材50を用いた。
長軸：５６mm
短軸：３７．５mm
湾曲高さ：１８．８mm
【００６３】
上記にあっては、正置ユニット70及び倒置ユニット77が設置面81に対して水平に配置固定される例を示したが、正置ユニット70及び倒置ユニット77を設置面81に対して任意の傾斜角度で配置固定することもできる。
【００６４】
図１８はその一例を示すものであり、正置ユニット70及び倒置ユニット77が所定の角度で傾斜した可動板84の上に載置され、図示しないビス等によって固定されている。
可動板84の先端部は、ヒンジ85を介して基礎フレーム83に回動自在に固定されている。
【００６５】
基礎フレーム83と可動板84との間には、断面台形状の複数のスペーサ86が配置固定されている。
すなわち、ヒンジ85に近い位置には、比較的低い高さの第１のスペーサ86aが配置固定されると共に、可動板の後端部側には比較的高い第３のスペーサ86cが配置固定されている。また、両スペーサの中間付近には、中位の高さの第２のスペーサ86bが配置固定されている。
各スペーサ86の上面は、可動板84の傾斜角度に対応した角度の傾斜面となされている。
これらのスペーサ86の存在により、可動板84の傾斜角度が一定に保持されているのであるが、その設置個数や設置箇所について特に限定はない。
【００６６】
上記可動板84の傾斜角度は、各スペーサ86を異なる高さのものに交換することにより、簡単に調節することができる。
すなわち、図示は省略したが、第１のスペーサ86a〜第３のスペーサ86cをそれぞれ上記よりも高いものを用いることにより、可動板84の傾斜角度を拡大させることができる。
あるいは逆に、第１のスペーサ86a〜第３のスペーサ86cをそれぞれ上記よりも低いものに交換することにより、可動板84の傾斜角度を低減することもできる。
【００６７】
このように、正置ユニット70及び倒置ユニット77の傾斜角度を可変とすることにより、同一構成の湾曲円状部材50からなる一種類の大規模ブロック54（正置ブロック60及び倒置ブロック61）で、緯度の異なる世界各地に対応可能となる利点が生じる。
例えば、赤道直下の地点に日除け80を設置する場合には、可動板84の角度を水平に近い状態にまで下げる。
これに対し、北半球に位置する日本に日除け80を設置する場合には、可動板84の傾斜角度を大きく設定する。
【００６８】
可動板84の傾斜角度については特に限定はないが、例えば、北半球では以下の式に基づいて傾斜角度を決定することができる。
■可動板84の傾斜角度＝設置箇所の緯度−２３．４度（地軸の傾き）
この式によって求まる角度は、設置箇所における夏至の太陽高度に最適化された傾斜角度を意味しているが、各日除け部材の最大遮蔽角度と一致する太陽高度を夏至よりも後にずらしたい場合には、１ヶ月あたり８度ほど水平方向に戻すことで対応できる。
ただし、２０度以上水平方向に戻すと、夏至の直射日光遮蔽率が低下するので好ましくない。
【００６９】
なお、正置ユニット70及び倒置ユニット77の傾斜手段としては、上記した「可動板84＋ヒンジ85＋基礎フレーム83＋スペーサ86」の組合せに限定されるものではない。
【図面の簡単な説明】
【００７０】
【図１】基本構成ブロックを示す斜視図である。
【図２】基本構成ブロックを示す平面図である。
【図３】基本構成ブロックを示す側面図である。
【図４】中規模ブロックの組立図及び平面図である。
【図５】大規模ブロックの組立図及び平面図である。
【図６】正置ブロックの３Ｄ画像である。
【図７】正置ブロックの３Ｄ画像である。
【図８】正置ブロックの３Ｄ画像である。
【図９】倒置ブロックの３Ｄ画像である。
【図１０】正置ユニットの組立図である。
【図１１】正置ユニットの形成過程を示す平面図である。
【図１２】倒置ユニットの組立図である。
【図１３】倒置ユニットの形成過程を示す平面図である。
【図１４】正置ユニット及び倒置ユニットを用いて形成された日除けを示す側面図である。
【図１５】正置ユニット及び倒置ユニットを用いて形成された日除けを示す平面図である。
【図１６】従来の日除けブロックによる太陽光の遮光性能を示す図である。
【図１７】この発明に係る日除けブロックによる太陽光の遮光性能を示す図である。
【図１８】傾斜配置した可動板上に正置ユニット及び倒置ユニットを配置固定した日除けを示す側面図である。
【図１９】従来の日除け部材を示す斜視図である。
【図２０】従来の日除け部材の基本要素の拡大斜視図である。
【図２１】従来の日除け部材を４個用いて組み立てられる日除けブロックを示す斜視図である。
【符号の説明】
【００７１】
50    湾曲円状部材
51    凸面
52    基本構成ブロック（日除け部材）
53    中規模ブロック
54    大規模ブロック
55    穴付き突起
56    凹面
57    隙間
60    正置ブロック
61    倒置ブロック
70    正置ユニット
71    縦桟
72    横桟
73    縦リーフ桟
74    第１のフレーム部材
75    第２のフレーム部材
76    横リーフ桟
77    倒置ユニット
80    日除け
81    設置面
82    脚部
83    基礎フレーム
84    可動板
85    ヒンジ
86    スペーサ
86a    第１のスペーサ
86b    第２のスペーサ
86c    第３のスペーサ
【図１】
2019218815.tif 000003
【図２】
2019218815.tif 000004
【図３】
2019218815.tif 000005
【図４】
2019218815.tif 000006
【図５】
2019218815.tif 000007
【図６】
2019218815.tif 000008
【図７】
2019218815.tif 000009
【図８】
2019218815.tif 000010
【図９】
2019218815.tif 000011
【図１０】
2019218815.tif 000012
【図１１】
2019218815.tif 000013
【図１２】
2019218815.tif 000014
【図１３】
2019218815.tif 000015
【図１４】
2019218815.tif 000016
【図１５】
2019218815.tif 000017
【図１６】
2019218815.tif 000018
【図１７】
2019218815.tif 000019
【図１８】
2019218815.tif 000020
【図１９】
2019218815.tif 000021
【図２０】
2019218815.tif 000022
【図２１】
2019218815.tif 000023